(57)【要約】      （修正有）【課題】フラットケーブルの取り付け方向を容易に確認できるようにすることで、接続作業を効率良く行うことができ、誤った方向にフラットケーブルが取り付けられることを防止したフラットケーブルを提供する。【解決手段】等間隔に複数の芯線２６を並設させると共に、これら芯線２６を被覆部により被覆し、この被覆部を連結させ一体化する連結部２５とを備えたフラットケーブル２０に、複数設けられた芯線２６間の間隔を等間隔に配置すると共にこれら芯線の径を同一に形成する。被覆部のいずれか一方の側方に、被覆部の幅より径の大きい太径被覆部を配置する。これにより、フラットケーブル２０を取り付ける際の方向を、手に取った際の手触り及び目視により確実且つ容易に判断することができ、予め決められている所定の方向に見間違えることなくフラットケーブル２０の取り付けを行うことができる。【選択図】図２
2005259366.tif 000002
【特許請求の範囲】
【請求項１】
等間隔に並設された複数の芯線と、これら芯線を被覆する被覆部と、これら被覆部を連結させ一体化する連結部とを備えたフラットケーブルにおいて、複数設けられた前記芯線間の間隔を等間隔に配置すると共にこれら芯線の径を同一に形成し、一体に形成された前記被覆部と前記連結部からなるこれらの形状を前記芯線の長手方向において非対称に形成したことを特徴とするフラットケーブル。
【請求項２】
複数の前記芯線は、夫々単線であることを特徴とする請求項１記載のフラットケーブル。
【請求項３】
前記被覆部の形状をほぼ同一に形成した前記フラットケーブルのいずれか一方の側方に、前記被覆部の幅より径の大きい太径被覆部を設けたことを特徴とする請求項１又は２記載のフラットケーブル。
【請求項４】
前記太径被覆部の径は、前記被覆部の径より、１．５〜２．５倍大きく形成したことを特徴とする請求項３記載のフラットケーブル。
【発明の詳細な説明】
【技術分野】
【０００１】
本発明は、導体で形成された複数の芯線を並設し、これら芯線を被覆部によって被覆したフラットケーブルに関する。
【背景技術】
【０００２】
従来、フラットケーブルは、導体で形成された複数の芯線を同一平面状に平行に配置し、これら芯線を絶縁樹脂層によって被覆し、この被覆部に目視によりその方向が分かるように、マーキングが付されたフラットケーブルが用いられている。このようなフラットケーブルは、被覆部の端部から芯線を露出させ、これをコネクタに挿入する際、作業者が被覆部のマーキングを目視により確認し、コネクタに対して所定の方向に芯線の端部を組み付け、コネクタに組み付けられた端子とフラットケーブルの芯線とを電気的に接続するようにしている。また、特許文献１には、複数の細径の導体を等間隔毎に並列にそれぞれ配置され、絶縁体の被覆部によりそれぞれ被覆し、この隣接する各被覆部間を絶縁体の各連結部にてそれぞれ一体化してフラット状に形成した複合型のフラットケーブルに、複数の細径の導体に隣接させて複数の太径の導体を、所定間隔を隔てて並列にそれぞれ配置し、絶縁体の被覆部でそれぞれを被覆したものが開示されている。
【０００３】
【特許文献１】特開２００１−２７３８２０号公報
【発明の開示】
【発明が解決しようとする課題】
【０００４】
しかし、上述した従来のフラットケーブルにおいては、フラットケーブルの取り付けを行う作業者は、フラットケーブルの被覆部に付されたマーキングを視認して、コネクタの所定の方向に芯線を挿入して取り付け作業を行うので、作業者が、このような作業を繰り返し大量に行う場合に、所定の方向ではない方向に、誤って取り付けてしまうことがある。このような場合、一端、半田付けにより固定されたフラットケーブルを取り外したりする作業は、非常に煩わしい手間がかかると共に、芯線の端部が曲がってしまうなど、無駄な作業に多くの時間が取られ、本体の取り付け作業などを効率的に行えなくなるという問題を有していた。
【０００５】
本発明は、上記問題を鑑みてなされたもので、フラットケーブルの取り付け方向を容易に確認できるようにすることで、接続作業を効率良く行うことができ、誤った方向にフラットケーブルが取り付けられることを防止したフラットケーブルを提供することを目的とする。
【課題を解決するための手段】
【０００６】
本発明の請求項１のフラットケーブルは、等間隔に並設された複数の芯線と、これら芯線を被覆する被覆部と、これら被覆部を連結させ一体化する連結部とを備えたフラットケーブルにおいて、複数設けられた前記芯線間の間隔を等間隔に配置すると共にこれら芯線の径を同一に形成し、一体に形成された前記被覆部と前記連結部からなるこれらの形状を前記芯線の長手方向において非対称に形成したことを特徴とする。
【０００７】
本発明の請求項２のフラットケーブルは、請求項１記載のフラットケーブルにおいて、複数の前記芯線は、夫々単線であることを特徴とする。
【０００８】
請求項１又は２の構成により、フラットケーブルの方向を確認する際、従来のフラットケーブルのようにフラットケーブルに付されたマーキングのみでその方向を目視により判断するのではなく、形状を非対称にすることで、手に取った際の手触りによってもフラットケーブルの方向を確実且つ容易に判断することができる。これにより、予め決められている所定の方向に見間違えることなくフラットケーブルの取り付けを行うことができる。さらに、例えば、保持部材などに挿入され、この保持部材を介してフラットケーブルを基板などに取り付ける際においては、一般的に、フラットケーブルの被覆部と連結部からなるこれらの形状は、これが挿入される保持部材などの収容される形状とほぼ同形状、若しくは、それより僅かに大きく形成されていることから、被覆部と連結部からなるこれらの形状を非対称に形成したことにより、予め決めておいた所定の方向にのみフラットケーブルが挿入可能となるので、フラットケーブルを誤挿入することを確実に防止できる。
【０００９】
本発明の請求項３のフラットケーブルの構造は、請求項１〜２記載の何れか１項記載のフラットケーブルにおいて、前記被覆部の形状をほぼ同一に形成した前記フラットケーブルのいずれか一方の側方に、前記被覆部の幅より径の大きい太径被覆部を配置したことを特徴とする。
【００１０】
請求項３の構成により、フラットケーブルの側部を目視により、容易に特定することができるので、細心の注意を払うことなく、単に、フラットケーブルの側部のいずれか一方を視認することで、より一層容易にフラットケーブルの方向を見極めることができる。
【００１１】
本発明の請求項４のフラットケーブルは、請求項３記載のフラットケーブルにおいて、前記太径被覆部の径は、前記被覆部の径より、１．５〜２．５倍大きく形成したことを特徴とする。
【００１２】
請求項４の発明により、被覆部の径に比べ、極めて大きい径の太径被覆部をフラットケーブルに形成することで、より明確に触感及び目視によりフラットケーブルの方向を確認することができる。
【発明の効果】
【００１３】
請求項１のフラットケーブルによれば、等間隔に並設された複数の芯線と、これら芯線を被覆する被覆部と、これら被覆部を連結させ一体化する連結部とを備えたフラットケーブルにおいて、複数設けられた前記芯線間の間隔を等間隔に配置すると共にこれら芯線の径を同一に形成し、一体に形成された前記被覆部と前記連結部からなるこれらの形状を前記芯線の長手方向において非対称に形成したものであり、請求項２のフラットケーブルによれば、請求項１記載のフラットケーブルにおいて複数の前記芯線は、夫々単線であるものである。このような構成により、予め決められている所定の方向に見間違えることなくフラットケーブルの取り付けを行うことができ、しかも、フラットケーブルの誤挿入を確実に防止できるので、一端、取り付けられたフラットケーブルを取り外したりする非常に煩わしい作業をすることを防止することが可能であるので作業性に優れる。
【００１４】
本発明の請求項３によれば、請求項１〜２の何れか１項に記載のフラットケーブルにおいて、前記被覆部の形状をほぼ同一に形成した前記フラットケーブルのいずれか一方の側方に、前記被覆部の幅より径の大きい太径被覆部を配置したものであり、単に、フラットケーブルの側部のいずれか一方を視認することで、より一層容易にフラットケーブルの方向を見極めることができる。
【００１５】
本発明の請求項４によれば、請求項３記載のフラットケーブルにおいて、前記太径被覆部の径は、前記被覆部の径より、１．５〜２．５倍大きく形成したので、より明確に触感及び目視によりフラットケーブルの方向を確認でき、フラットケーブルの方向を見極めることができる。
【発明を実施するための最良の形態】
【００１６】
以下、図１〜図１０を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１７】
１は、本実施例におけるテレビジョン受像機などの電子機器である。この電子機器１には、基板２が設けられており、この基板２上に複数の図示しない電子部品などが実装されている。また、基板２には、フラットケーブル２０の芯線２６を露出させた接続端部２６Ａを接続するために、複数である４つの挿通孔３が等間隔に形成され、フラットケーブル２０の芯線２６を基板２に固定された状態でフラットケーブル２０を保持する保持部材３０には、フラットケーブル２０が基板２に対して所定の方向に取り付けられるように、互いに異なる形状の係止部３１，３１が形成されている。
なお、前記保持部材３０は、フラットケーブル２０を基板２に取り付けられた状態において、フラットケーブル２０の接続端部２６Ａから挿入して被覆部２３，２４と連結部２５からなる部位を保持するものであり、フラットケーブル２０の被覆部２３，２４と連結部２５からなるこれらの形状とほぼ同一、若しくはそれより僅かに大きく形成され、フラットケーブル２０が所定の方向に挿入され保持されるように形成されているもので、保持部材３０に一体に形成されている係止爪３１，３１を、係止孔４，４に挿入させて保持部材３０を基板２に予め決められた方向に着脱自在に固定することができるようになっている。
【００１８】
ここで、フラットケーブル２０について詳しく説明すると、フラットケーブル２０は、図４又は図８に示すように、導体で形成された径の同じ複数の４本の単線である芯線２６を等間隔に並設して配置し、これら芯線２６を絶縁樹脂層である被覆部２３、被覆部である太径被覆部２４によって被覆し、これら被覆部２３，２４を連結させ一体化する被覆部２３，２４と同材質からなる連結部２５を備えている。また、フラットケーブル２０の端部側には、フラットケーブル２０を基板２などの部材に取り付ける際、被覆部２３，２４の端部を切り離して芯線を露出させた接続端部２６Ａを有し、接続端部２６Ａの長さを、例えば、５ｍｍなど、所望の幅に被覆部２３，２４を切り離することによってフラットケーブル２０から芯線２６を露出させて基板２に形成されている挿通孔３に、保持部材３０を介して挿通孔３に挿入した状態で半田付けにより取り付けられるものである。
【００１９】
また、各芯線２６に対応して複数設けられている被覆部２３，２４について、ここでさらに詳しく説明すると、フラットケーブル２０のいずれか一方の側部に形成された太径被覆部２４と被覆部２３，２３，２３とにより構成され、フラットケーブル２０のいずれか一方の側部に設けられた太径被覆部２４をその他の被覆部２３の径より大きく形成している。このように、本実施例によれば、フラットケーブル２０の側部の何れか一方に配置される太径被覆部２４を、その他の同形に形成された被覆部２３，２３，２３の径Ｗ１より、その径Ｗを大きく形成しているので、図４に示す矢印方向をフラットケーブルケーブル２０の芯線２６の軸線方向を前後とし、それと直交する方向を左右とすると、フラットケーブル２０の被覆部２３，２４と連結部２５からなる形状が左右非対称となることで、これらが挿入される保持部材３０などの収容される形状とほぼ同形状、若しくは、それより僅かに大きく形成されている保持部材３０に対応していることから、所定の方向にのみフラットケーブル２０の被覆部２３，２４と連結部２５からなる部位が挿入されるようになっていて、フラットケーブル２０の挿入される所定の方向から反転させた状態では、保持部材３０にフラットケーブル２０の被覆部２３，２４と連結部２５からなる部位が挿入できないようになっている。なお、被覆部２３に対して径の大きい太径被覆部２４の形状は、本実施例においては、断面円形型に形成すると共に、その他の被覆部２３の径Ｗ１に対し１．５〜２．５倍にその径Ｗの大きさを大きく形成しているが、この形状は、図２に示すような断面円形型に特に限定するものではなく、図６又は図７に示す変形例のように、その形状を断面楕円型にするなどしてもよく、被覆部２３の径Ｗ１に対して、その最も長い径である長径Ｗ３が１．５〜２．５倍あればよく、その形状を特に限定するものではなく、矩形型など種々の変形が可能である。
【００２０】
次に、基板２へのフラットケーブル２０の取り付け手順を説明する。基板２に形成された係止孔４，４に保持部材３０の係止爪３１，３１を係止して保持部材３０を固定した状態においては、基板２にフラットケーブル２０の接続端部２６Ａを取り付ける際には、フラットケーブル２０の被覆部２３，２４と連結部２５からなる部位が左右非対称であることから、これらの形状に対応した所定の方向にのみフラットケーブル２０の被覆部２３，２４と連結部２５からなる部位が保持部材３０に挿入されるので、フラットケーブル２０を反転させた状態で保持部材３０に挿入されることを確実に防止することができる。これにより、所定の方向にのみフラットケーブル２０を確実に固定でき、最終的に接続端部２６Ａの先端が基板２から突出されることで、半田付けにより基板２にフラットケーブル２０を取り付けることができるので、フラットケーブル２０が基板２に対して抜け止めされ固定され、フラットケーブル２０の接続端部２６Ａと基板２０とが電気的に接続される。一方、基板２へのフラットケーブル２０の別の取り付け手順としては、保持部材３０が基板２に取り付けられてない場合において、保持部材３０にフラットケーブル２０の接続端部２６Ａ側からフラットケーブル２０の被覆部２３，２４と連結部２５からなる部位を保持部材３０に挿入し、この状態を維持しながら、基板２の挿通孔３にフラットケーブル２０の接続端部２６Ａを挿入すると共に、基板２の係止孔４に保持部材３０の係止爪３１を係止する。この場合、互いに形状の異なる係止爪３１を、基板２に形成されたこれに対応する形状の係止孔４に係止することができるので、フラットケーブル２０の被覆部２３，２４と連結部２５からなる部位が所定の方向にのみ保持部材３０に挿入され保持されることとなるので、フラットケーブル２０を所定の方向から反転させた状態で保持部材に挿入されることがなく、フラットケーブルを所定の方向に配置した状態で保持部材３０に挿入される。そして、次に基板２にフラットケーブル２０の接続端部２６Ａの先端を半田付けにより確実に取り付けることにより、フラットケーブル２０が基板２に対して確実に抜け止め固定されるとともに、フラットケーブル２０の接続端部２６Ａと基板２とが電気的に接続される。
【００２１】
以上の実施例でも明らかなように、上記構成によれば、フラットケーブル２０は、等間隔に並設された複数の単線である芯線２６と、これら芯線２６を被覆する被覆部２３，２４と、これら被覆部２３，２４を連結させ一体化する連結部２５とを備えたフラットケーブル２０において、複数設けられた芯線２６間の間隔を等間隔に配置すると共にこれら芯線２６の径を同一に形成し、一体に形成された被覆部２３，２４と連結部２５からなるこれらの形状を前記芯線２６の長手方向において非対称に形成したものであり、フラットケーブル２０の方向を確認する際、従来のフラットケーブルのようにフラットケーブルに付されたマーキングのみでその方向を目視により判断するのではなく、形状を非対称にすることで、手に取った際の手触りによってもフラットケーブル２０の方向を確実且つ容易に判断することができる。これにより、予め決められている所定の方向に見間違えることなくフラットケーブル２０の取り付けを行うことができる。さらに、例えば、保持部材３０などに挿入され、この保持部材３０を介してフラットケーブル２０を基板２などに取り付ける際においては、一般的に、フラットケーブル２０の被覆部２３，２４と連結部２５からなるこれらの形状は、これが挿入される保持部材３０などの収容される部位の形状とほぼ同形状、若しくは、これより僅かに大きく形成されていることから、被覆部２３，２４と連結部２５からなる部位の形状を非対称に形成したことにより、予め決めておいた所定の方向にのみフラットケーブル２０が挿入可能となるので、フラットケーブル２０を誤挿入することを確実に防止できる。
【００２２】
さらに、フラットケーブル２０は、被覆部２３の形状をほぼ同一に形成したフラットケーブルのいずれか一方の側方に、この被覆部２３の幅より径の大きい被覆部である太径被覆部２４を配置したことにより、フラットケーブル２０の側部を目視により、容易に特定することができるので、細心の注意を払うことなく、単に、フラットケーブル２０の側部のいずれか一方を視認することで、より一層容易にフラットケーブル２０の方向を見極めることができる。さらに、太径被覆部２４の径Ｗ，Ｗ３は、前記被覆部２３の径Ｗ１より、１．５〜２．５倍大きく形成したので、被覆部２３の径に比べ、極めて大きい径の太径被覆部２４をフラットケーブル２０に形成することで、より明確に触感及び目視によりフラットケーブル２４の方向を確認することができる。
【００２３】
以上、本発明の実施例について詳述したが本発明は、前記実施例に限定されるものではなく、本発明の要旨の範囲内で種々の変形実施が可能である。また、従来から用いられている基板には、等間隔に芯線の接続端部を挿入可能な挿通孔が形成されているから、これらの挿通孔を利用して本実施例におけるフラットケーブル２０を取り付けることが可能である。これにより、新たに基板を設計変更することが不要となるので、コスト的に優れる。
【図面の簡単な説明】
【００２４】
【図１】本発明の実施例を示すフラットケーブル取り付け状態を示す図である。
【図２】同上、保持部材にフラットケーブルを取り付けた状態を示す底面図である。
【図３】同上、保持部材の正面図である。
【図４】同上、フラットケーブルの斜視図である。
【図５】同上、フラットケーブルの正面図である。
【図６】変形例を示すフラットケーブルの正面図である。
【図７】変形例を示すフラットケーブルの正面図である。
【図８】変形例を示すフラットケーブルの斜視図である。
【符号の説明】
【００２５】
２０  フラットケーブル
２３  被覆部
２４  太径被覆部（被覆部）
２５  連結部
２６  芯線
Ｗ  径
Ｗ１  径
【図１】
2005259366.tif 000003
【図２】
2005259366.tif 000004
【図３】
2005259366.tif 000005
【図４】
2005259366.tif 000006
【図５】
2005259366.tif 000007
【図６】
2005259366.tif 000008
【図７】
2005259366.tif 000009
【図８】
2005259366.tif 000010